(57)【要約】【課題】取得時間が近い複数種類の情報を同時に表示可能な情報統合装置、情報統合システム、及びプログラムを提供すること。【解決手段】デバイス（１０１、１０３、１０５、１０７、１０９）から複数種類の情報を取得する情報取得手段（３Ｂ〜３Ｆ）と、前記情報取得手段で前記情報を取得した時間を表す時間タグを前記情報に挿入する時間タグ挿入手段（３Ｊ）と、前記情報の種類を表す種類タグを前記情報に挿入する種類タグ挿入手段（３Ｂ〜３Ｆ）と、前記時間タグ及び前記種類タグが挿入された前記情報を情報保存部に保存する情報保存手段（３Ｇ）と、時間Ｓを設定し、前記情報の種類ごとに、前記時間Ｓ以前で最新の前記時間タグを有する前記情報を前記情報保存部から読み出す情報読出手段（３、５）と、前記情報読出手段で読み出した前記情報を、前記種類タグに対応する表示方法で、画像表示装置で表示するために出力する情報出力手段（５）と、を備えることを特徴とする情報統合装置（１）。【選択図】図１
2015185125.tif 000002
【特許請求の範囲】
【請求項１】
デバイス（１０１、１０３、１０５、１０７、１０９）から複数種類の情報を取得する情報取得手段（３Ｂ〜３Ｆ）と、
前記情報取得手段で前記情報を取得した時間を表す時間タグを前記情報に挿入する時間タグ挿入手段（３Ｊ）と、
前記情報の種類を表す種類タグを前記情報に挿入する種類タグ挿入手段（３Ｂ〜３Ｆ）と、
前記時間タグ及び前記種類タグが挿入された前記情報を情報保存部に保存する情報保存手段（３Ｇ）と、
時間Ｓを設定し、前記情報の種類ごとに、前記時間Ｓ以前で最新の前記時間タグを有する前記情報を前記情報保存部から読み出す情報読出手段（３、５）と、
前記情報読出手段で読み出した前記情報を、前記種類タグに対応する表示方法で、画像表示装置で表示するために出力する情報出力手段（５）と、
を備えることを特徴とする情報統合装置（１）。
【請求項２】
前記情報取得手段により前記情報を取得する前記デバイスの種類を判断するデバイス種類判断手段（３Ｂ〜３Ｆ、５）を備えることを特徴とする請求項１に記載の情報統合装置。
【請求項３】
前記デバイス種類判断手段は、前記情報の種類に基づき、その情報を出力する前記デバイスの種類を判断することを特徴とする請求項２に記載の情報統合装置。
【請求項４】
前記デバイス種類判断手段の判断結果に基づき、前記情報出力手段で出力した前記情報を前記画像表示装置で表示するときのレイアウトを設定するデバイス種類対応レイアウト設定手段（５）を備えることを特徴とする請求項２又は３に記載の情報統合装置。
【請求項５】
前記レイアウトは、一画面に複数種類の前記情報を表示するものであることを特徴とする請求項４に記載の情報統合装置。
【請求項６】
入力操作が可能な入力手段（１１３、１１５）と、
前記入力手段への入力に応じて前記デバイス又は前記画像表示装置を操作するデバイス操作手段（５）と、
を備えることを特徴とする請求項１〜５のいずれか１項に記載の情報統合装置。
【請求項７】
前記デバイス操作手段は、１以上の前記デバイス及び前記画像表示装置から選択される２以上を連動して操作することを特徴とする請求項６に記載の情報統合装置。
【請求項８】
前記情報の内容における経時的な変化に基づき、前記情報の種類を判断する情報種類判断手段（３Ｂ〜３Ｆ、５）を備えることを特徴とする請求項１〜７のいずれか１項に記載の情報統合装置。
【請求項９】
前記情報保存部に保存された前記情報の中から、所定の条件に該当する前記情報を検索する情報検索手段（５）と、
検索により発見した情報の前記時間タグに含まれる時間を始期、終期、又は中心とする時間帯に属する時間タグを有する前記情報を前記情報保存部から読み出す時間帯情報読出手段（３Ｇ、５）と、
を備え、
前記情報出力手段は、前記時間帯情報読出手段で読み出した前記情報を、画像表示装置で表示するために出力することを特徴とする請求項１〜８のいずれか１項に記載の情報統合装置。
【請求項１０】
請求項１〜９のいずれか１項に記載の情報統合装置を複数備える情報統合システム（１１９）であって、
前記複数の情報統合装置は、それぞれ、前記時間タグを設定するときの基準となる時計（７）を備え、
前記情報統合システムは、複数の前記情報統合装置における前記時計を合わせる時計調整手段（３、５）を備えることを特徴とする情報統合システム。
【請求項１１】
コンピュータを請求項１〜９のいずれか１項に記載の情報統合装置における各手段として機能させるプログラム。
【発明の詳細な説明】
【技術分野】
【０００１】
本発明は、情報統合装置、情報統合システム、及びプログラムに関する。
【背景技術】
【０００２】
従来、医療の技術分野において、複数種類の情報を取り込み、それら複数種類の情報を統合して表示する医療情報システムが知られている（特許文献１参照）。
【先行技術文献】
【特許文献】
【０００３】
【特許文献１】特表２０１１−５０１２７３号公報
【発明の概要】
【発明が解決しようとする課題】
【０００４】
複数種類の情報を統合して表示する場合、次のような処理が考えられる。すなわち、複数種類の情報のそれぞれについて、情報を定期的に取得し、順次保存しておく。そして、情報の種類ごとに、取得済みの情報の中から最新の情報をそれぞれ選択し、選択した情報を統合して表示する。
【０００５】
最新の情報の取得時間は、情報の種類ごとに大きく異なる場合がある。この場合、上記の処理では、取得時間が大きく異なる情報を統合して表示することになってしまう。
本発明は以上の点に鑑みなされたものであり、上述した課題を解決できる情報統合装置、情報統合システム、及びプログラムを提供することを目的とする。
【課題を解決するための手段】
【０００６】
本発明の情報統合装置は、デバイスから複数種類の情報を取得する情報取得手段と、情報取得手段で情報を取得した時間を表す時間タグを情報に挿入する時間タグ挿入手段と、情報の種類を表す種類タグを情報に挿入する種類タグ挿入手段と、時間タグ及び種類タグが挿入された情報を情報保存部に保存する情報保存手段とを備える。
【０００７】
また、本発明の情報統合装置は、時間Ｓを設定し、情報の種類ごとに、時間Ｓ以前で最新の時間タグを有する情報を情報保存部から読み出す情報読出手段と、情報読出手段で読み出した情報を、種類タグに対応する表示方法で、画像表示装置で表示するために出力する情報出力手段とを備える。
【０００８】
本発明の情報統合装置は、画像表示装置に、時間タグの値（デバイスから情報を取得した時間）が同程度である複数種類の情報を統合して表示することができる。また、本発明の情報統合装置は、情報の種類に対応する表示方法で情報を表示することができる。
【図面の簡単な説明】
【０００９】
【図１】情報統合装置１の構成を表すブロック図である。
【図２】情報統合装置１が実行する情報保存処理を表すフローチャートである。
【図３】情報統合装置１が実行する情報の種類判断処理を表すフローチャートである。
【図４】情報統合装置１が実行する情報表示処理を表すフローチャートである。
【図５】情報表示処理において読み出す情報を表す説明図である。
【図６】図６Ａ、図６Ｂはそれぞれレイアウトの一例を表す説明図である。
【図７】情報統合装置１が実行するレイアウト設定処理を表すフローチャートである。
【図８】情報統合装置１が実行する情報表示処理を表すフローチャートである。
【図９】情報統合システム１１９の構成を表すブロック図である。
【発明を実施するための形態】
【００１０】
本発明の実施形態を図面に基づき説明する。
＜第１の実施形態＞
１．情報統合装置１の構成
情報統合装置１の構成を図１に基づき説明する。情報統合装置１は、手術室における各種情報を統合して保存し、表示するための装置である。情報統合装置１は、ＣＰＵ、ＲＡＭ、ＨＤＤ（ハードディスクドライブ）等を備えた周知のコンピュータである。情報統合装置１は、上記ＨＤＤにインストールされたプログラムにより、後述する処理を実行する。情報統合装置１は、機能的には、インターフェース３、アプリケーション（以下ではアプリと表記）５、及び時計７を備える。
【００１１】
インターフェース３は、外部の内視鏡１０１、顕微鏡１０３、生体情報モニタ１０５、空調１０７、手術ナビ（ナビゲーションシステム）１０９、情報保存装置１１１、画像表示装置１１３、及び入力装置１１５等との間で情報のやり取りを仲介する。なお、以下では、内視鏡１０１、顕微鏡１０３、生体情報モニタ１０５、空調１０７、及び手術ナビ１０９をまとめて、デバイス群１１７と呼ぶこともある。また、内視鏡１０１、顕微鏡１０３、生体情報モニタ１０５、空調１０７、及び手術ナビ１０９のうちのいずれか１つをデバイスと呼ぶこともある。
【００１２】
インターフェース３は、ミドルウエア３Ａ及びプロバイダ３Ｂ〜３Ｊにより構成される。ミドルウエア３ＡはＯＲｉＮ（オライン）である。インターフェース３は、プログラミング言語、通信プロトコルの種類によらず、デバイス群１１７、情報保存装置１１１、画像表示装置１１３、及び入力装置１１５との間での情報のやり取りを可能にする。インターフェース３とデバイス、情報保存装置１１１、画像表示装置１１３、及び入力装置１１５との接続の方式は特に限定されず、例えば、ＬＡＮ、ＨＤ−ＳＤＩ、コントローラ、ＬＡＮオプションコネクタ等とすることができる。
【００１３】
アプリ５は、インターフェース３がデバイス群１１７、情報保存装置１１１、画像表示装置１１３、及び入力装置１１５との間での間でやり取りした情報を用いて後述する処理を実行する。時計７は、リアルタイムの時間（時刻）情報を生成し、その時間情報をプロバイダ３Ｊに出力する。時計７は、後述するように時間Ｓを設定するとき、その基準となる。
【００１４】
内視鏡１０１、顕微鏡１０３、生体情報モニタ１０５、空調１０７、及び手術ナビ１０９は、それぞれ、情報統合装置１に情報を出力する。内視鏡１０１、及び顕微鏡１０３が出力する情報は、患者を撮影した画像の画像情報である。
【００１５】
生体情報モニタ１０５は複数の生体情報を計測するデバイスの総称を表す用語である。生体情報モニタ１０５が出力可能な情報は、患者の手術中にモニタリングするあらゆる生体情報から適宜選択することができるものとし、例えば、血圧、心電図、酸素飽和度、心拍数、脈波、脳波、筋電、麻酔深度、運動誘発電位、体性感覚誘発電位等の生体情報である。空調１０７が出力する情報は、手術室における温度、湿度等の情報である。手術ナビ１０９が出力する情報は、患者の体内又は臓器内における病変又は手術器具の位置を表す情報である。なお、１つのデバイスは１種類の情報を出力してもよいし、複数種類の情報を出力してもよい。
【００１６】
情報保存装置１１１は、情報の記憶、保存、及び読み出しが可能な装置であって、例えば、ＨＤＤ等により実現できる。
画像表示装置１１３は、タッチパネル方式の液晶ディスプレイであり、一画面に画像を表示可能である。また、画像表示装置１１３は、ユーザによるタッチパネルへの入力操作に対応する信号をインターフェース３に出力する。
【００１７】
入力装置１１５は、ユーザが非接触で入力を行うことができる構成である。入力装置１１５は、例えば、ユーザが発音した音声を取得可能なマイクと、そのマイクで取得した音声に対し、周知の音声認識処理を実行し、入力内容を決定する音声認識部と、を備えるものとすることができる。また、入力装置１１５は、例えば、ユーザの動作（手、顔、頭等の動作）を撮影するカメラと、そのカメラで撮影した動作から、予め動作に対応付けられた入力内容を決定する動作解析部と、を備えるものとすることができる。
【００１８】
なお、内視鏡１０１、顕微鏡１０３、生体情報モニタ１０５、空調１０７、及び手術ナビ１０９は、デバイスの一例である。インターフェース３及びアプリ５は、時間タグ挿入手段、種類タグ挿入手段、情報種類判断手段、情報取得手段、情報保存手段、情報読出手段、情報検索手段、時間帯情報読出手段、情報出力手段、入力対応レイアウト設定手段、及びデバイス操作手段の一例である。画像表示装置１１３、入力装置１１５は、入力手段の一例である。
【００１９】
２．情報統合装置１が実行する処理
情報統合装置１が実行する処理を図２〜図７に基づき説明する。
（２−１）情報保存処理
情報統合装置１（特にプロバイダ３Ｂ〜３Ｊ）が所定時間ごとに繰り返し実行する情報保存処理を図２に基づき説明する。
【００２０】
図２のステップ１では、インターフェース３を用いてデバイス群１１７から情報を取得する。取得する情報は、１種類であってもよいし、複数種類であってもよい。また、一つのデバイスから複数種類の情報を取得してもよい。
【００２１】
ステップ２では、その時点でのリアルタイムの時間情報を時計７から取得する。
ステップ３では、前記ステップ１で取得した情報に、前記ステップ２で取得した時間を表す時間タグを挿入する。前記ステップ１で複数種類の情報を取得した場合は、それぞれの情報に時間タグを挿入する。
【００２２】
ステップ４では、予め保存しておいた種類タグ（情報の種類を表すタグ）を呼び出す。種類タグの保存については後述する。
ステップ５では、前記ステップ１で取得した情報に、前記ステップ４で呼び出した種類タグを挿入する。前記ステップ１で複数種類の情報を取得した場合は、それぞれの情報に種類タグを挿入する。
【００２３】
ステップ６では、情報を情報保存装置１１１に送信する準備を行う。
ステップ７では、インターフェース３を用いて情報を情報保存装置１１１に送信し、そこに保存する。
【００２４】
次に、図３に基づき、情報統合装置１が種類タグを決定し、保存する処理を説明する。この処理は、情報統合装置１の起動時と、オペレータの操作時とに実行される。
図３のステップ１０では、前記ステップ１と同様に、インターフェース３を用いてデバイス群１１７から情報を取得する。
【００２５】
ステップ１１では、前記ステップ１０で取得した情報が画像情報であるか否かを判断する。画像情報である場合はステップ１２に進み、画像情報ではない、又は不明である場合はステップ１３に進む。
【００２６】
ステップ１２では、前記ステップ１０で取得した情報に挿入する種類タグを、画像情報の種類タグとする。本ステップ１２の終了後、ステップ１８に進む。
ステップ１３では、前記ステップ１０で取得した情報が生体情報であるか否かを判断する。生体情報である場合はステップ１４に進み、生体情報ではない、又は不明である場合はステップ１５に進む。なお、生体情報とは、生体情報モニタ１０５が出力する血圧、心電図、酸素飽和度、心拍数、脈波、脳波、筋電、麻酔深度、運動誘発電位、体性感覚誘発電位等の情報である。
【００２７】
生体情報であるか否かは、例えば、以下のように判断することができる。血圧、心電図、酸素飽和度、心拍数、脈波、脳波、筋電、麻酔深度、運動誘発電位、体性感覚誘発電位等の値は、経時的に（時間の経過とともに）変化する。また、その変化のパターンは、情報の種類に特有である。そのため、前記ステップ１０で取得した情報が、生体情報に特有のパターンで経時的に変化するものであれば、その情報は生体情報であると判断することができ、それ以外の場合は生体情報ではないと判断することができる。
【００２８】
ステップ１４では、前記ステップ１０で取得した情報に挿入する種類タグを、生体情報の種類タグとする。本ステップ１４の終了後、ステップ１８に進む。
ステップ１５では、前記ステップ１０で取得した情報のデバイス種類を入力するようにユーザを促す表示を画像表示装置１１３に表示する。なお、ユーザは、その表示に対し、前記ステップ１０で取得した情報のデバイス種類を、画像表示装置１１３のタッチパネルに表示された選択肢から選択することができる。
【００２９】
ステップ１６では、前記ステップ１７での表示に応じてなされた、ユーザの入力（前記ステップ１０で取得した情報のデバイス種類の選択）に基づき、前記ステップ１０で取得した情報の種類を判断するキャリブレーション処理を実行する。
【００３０】
このキャリブレーション処理を具体的に説明する。ここでは、前記ステップ１５においてユーザがデバイスとして空調１０７を選択した例を挙げる。空調１０７は、１つのデバイスで、複数種類の情報（設定温度、設定湿度、風量、室温、湿度）を出力する。
【００３１】
まず、情報統合装置１は、画像表示装置１１３に、複数種類の情報をそれぞれ表示する。表示の態様は、例えば、横軸を時間とし、縦軸を情報の量とするグラフである。また、情報統合装置１は、それぞれの情報ごとに、情報の種類を指定可能な選択ボタンを表示する。
【００３２】
情報統合装置１は、上記５種類の情報のうち１つの情報Ｘ（例えば設定温度）の値を経時的に変えるようにユーザを促す表示を画像表示装置１１３に表示する。ユーザは、その表示に応じ、その情報Ｘの値を経時的に変化させる処理（例えば、空調の設定温度を変化させる処理）を実行することができる。
【００３３】
このユーザの操作に対し、連動して（高い相関を有して）値が変化する情報があれば、情報統合装置１は、その情報の種類が情報Ｘに該当すると判断する。
また、情報統合装置１は、他の情報Ｙ、Ｚ（例えば設定湿度、風量）についても、情報Ｘの場合と同様に、情報の値を経時的に変えるようにユーザを促す表示を画像表示装置１１３に表示し、ユーザの操作に対し、連動して（高い相関を有して）値が変化する情報があれば、情報統合装置１は、それらの情報の種類が情報Ｙ、Ｚに該当すると判断する。
【００３４】
上記のように、情報Ｘ、Ｙ、Ｚの種類を判断した後、５種類の情報の中に、ユーザの操作により経時的に変化させることが困難であるもの（例えば、室温、湿度）が残った場合、ユーザは上記の選択ボタンを操作し、その情報の種類を指定することができる。
【００３５】
ステップ１７では、前記ステップ１０で取得した情報に挿入する種類タグを、前記ステップ１６で判断された情報の種類に対応したものに決定する。
ステップ１８では、前記ステップ１２、１４、１７のいずれかで決定された種類タグを保存する。なお、保存された種類タグは、前記ステップ４で呼び出すことができる。
【００３６】
（２−２）情報表示処理
情報統合装置１（特にアプリ５）が所定時間ごとに繰り返し実行する情報表示処理を図４〜図６に基づき説明する。
【００３７】
図４のステップ２１では、後述するステップ２２の処理で使用する時間（時刻）Ｓを設定する。この時間Ｓは、例えば、リアルタイムの時間から、一定の時間長だけ遡った時間とすることができる。また、時間Ｓは現在の時間であってもよい。
【００３８】
ステップ２２では、情報の種類ごとに、前記ステップ１で設定した時間Ｓ以前で最新の時間タグを有する情報を情報保存装置１１１から読み出す。例えば、図５に示すように、情報の種類にＡ〜Ｂの４種類があり、前記ステップ１で設定した時間Ｓが、９時００分１００ミリ秒（図５では、時、分を省略し、ミリ秒を単位として、「１００」と表示）であるとする。また、種類Ａの情報として、時間タグの内容が図５における「Ａ」の列に示すとおりである複数の情報が情報保存装置１１に記憶されているとする。なお、図５に、「Ｘ（数値）」と表示されているものは、９時００分Ｘミリ秒を意味する。
【００３９】
この場合、種類Ａの情報の中から、時間Ｓ以前で最新の時間タグ（９７）を有する、情報Ａｓを情報保存装置１１１から読み出す。同様に、種類Ｂの情報の中から、時間Ｓ以前で最新の時間タグ（１００）を有する、情報Ｂｓを情報保存装置１１１から読み出し、種類Ｃの情報の中から、時間Ｓ以前で最新の時間タグ（９９）を有する、情報Ｃｓを情報保存装置１１１から読み出し、種類Ｄの情報の中から、時間Ｓ以前で最新の時間タグ（９８）を有する、情報Ｄｓを情報保存装置１１１から読み出す。
【００４０】
ステップ２３では、前記ステップ２２で読み出した情報を、アプリ５を用いて画像表示装置１１３に出力し、画像表示装置１１３で表示する。この表示は、その時点で設定されているレイアウトにより行う。ここでレイアウトとは、以下の要素の複合である。
【００４１】
（α）画像表示装置１１３の表示領域をどのように区分するか。
（β）区分された各領域に、どの種類の情報をいくつ同時に表示するか。
（γ）区分された各領域における情報の表示態様（画像、数値、グラフ、表等）をどのようにするか。
【００４２】
図６Ａに、レイアウトの一例を示す。この例では、画像表示装置１１３の一画面における表示領域をａ１〜ａ９から成る９の領域に区分している。このレイアウトでは、例えば、ａ１、ａ２、ａ３の領域において、生体情報をグラフの表示形態で表示し、ａ４〜ａ９の領域において、生体情報を数値の表示形態で表示することができる。
【００４３】
また、図６Ｂに、レイアウトの他の一例を示す。この例では、画像表示装置１１３の一画面における表示領域を、ｂ１〜ｂ１４から成る１４の領域に区分している。このレイアウトでは、例えば、ｂ１の領域において、顕微鏡１０３が出力する画像情報と手術ナビ１０９の画像とを、重ね合わせて画像の表示形態で表示することができる。また、ｂ２、ｂ３、ｂ４の領域において、手術ナビ１０９の画像を三面図形式で表示することができる。また、例えば、ｂ５、ｂ６の領域において、生体情報をグラフの表示形態で表示することができる。また、ｂ７の領域において、内視鏡１０１が出力する画像情報を、画像の表示形態で表示できる。また、その他の領域において、生体情報を数値の表示形態で表示することができる。
【００４４】
また、情報の表示は、種類タグに対応する表示方法で行う。例えば、情報の種類タグが心電である場合、横軸を時間とし、縦軸を心電の値とするグラフの表示方法により表示する。また、情報の種類タグが、手術ナビ１０９が出力する情報である場合、ＣＴ画像上の所定の座標に表示する表示方法を用いる。表示方法は、種類タグに応じて、アプリ５が決定する。
（２−３）レイアウト設定処理
情報統合装置１（特にアプリ５）が実行するレイアウト設定処理を図７に基づき説明する。この処理は、画像表示装置１１３の表示におけるレイアウトを、現状のレイアウトから、特定のレイアウト（オペレータが指示したレイアウト）に変更することを指示する操作をオペレータが行ったときに実行される。
【００４５】
ステップ３１では、画像表示装置１１３で表示している情報のレイアウトを、オペレータが指示したレイアウトに変更し、表示を更新する。
ステップ３２では、レイアウトの設定を、オペレータが指示したレイアウトに更新する。この時点以降、前記ステップ２３で表示を行うときに使用するレイアウトは、更新後のレイアウトとなる。
【００４６】
（２−４）ログ表示
ユーザは、入力装置１１５を用いて、２つの時間（時刻）を設定することができる。また、ユーザは、入力装置１１５を用いて、ログ表示を行う情報の種類を選択することができる。この場合、情報統合装置１は、選択された種類の情報について、設定された２つの時間の一方を始期とし、他方を終期とする時間帯に属する時間の時間タグを有する情報を情報保存装置１１１から読出し、画像表示装置１１３に表示する。表示の形態は、例えば、グラフ、又は表とすることができる。ユーザは、入力装置１１５を用いて、表示形態の変更（例えば、拡大、縮小、表示する時間帯の変更等）を行うことができる。
【００４７】
また、ユーザは、入力装置１１５を用いて、情報に関する条件を入力することができる。情報統合装置１は、情報保存装置１１１に記憶されている情報の中から、その条件に該当する情報を検索し、発見した情報の時間タグを読み出す。
【００４８】
例えば、ユーザが、特定の生体情報について、その生体情報が急変する（例えば単位時間当りの変化量が所定値以上である）という条件を入力すれば、情報統合装置１は、その条件に該当する生体情報を検索し、発見した情報の時間タグを読み出す。
【００４９】
そして、情報統合装置１は、その時間タグの時間を始期又は終期とする時間帯、あるいは、その時間タグの時間を中心とする時間帯に属する時間の時間タグを有する情報（条件に該当する種類の情報）を情報保存装置１１１から読み出し、画像表示装置１１３に表示する。表示の形態は、例えば、グラフ、又は表とすることができる。ユーザは、入力装置１１５を用いて、表示形態の変更（例えば、拡大、縮小、表示する時間帯の変更等）を行うことができる。
【００５０】
検索により発見した情報における時間タグの時間を、時間帯の始期とした場合、時間帯の終期は、ユーザが入力した値とすることもできるし、始期から所定時間後の時期とすることもできる。また、検索により発見した情報における時間タグの時間を、時間帯の終期とした場合、時間帯の始期は、ユーザが入力した値とすることもできるし、終期から所定時間前の時期とすることもできる。
【００５１】
また、検索により発見した情報における時間タグの時間を、時間帯の中心とした場合、時間帯の長さは、ユーザが入力した値とすることもできるし、固定値とすることもできる。
【００５２】
（２−５）デバイス操作処理
情報統合装置１は、画像表示装置１１３のタッチパネルへのユーザの入力操作を検出する。そして、その入力操作の内容に応じて、デバイス群１１７のうちのいずれかのデバイスを操作する。
【００５３】
操作するデバイスは、単数であってもよいし、複数であってもよい。また、デバイスに加えて、あるいはデバイスに代えて、画像表示装置１１３を操作してもよい。操作する対象が複数である場合、複数のデバイスや画像表示装置１１３を連動して操作することができる。例えば、画像表示装置１１３のタッチパネルへ、所定の入力を行うことで、内視鏡１０１のモニタ１０１Ａ、生体情報モニタ１０５、空調１０７におけるコントローラモニタ１０７Ａ、手術ナビ１０９のモニタ１０９Ａ、及び画像表示装置１１３から選択される１以上での画面の明るさ、色合いを、視認性や目の疲れを考慮した最適な条件に自動的に調整することができる。
【００５４】
３．情報統合装置１が奏する効果
（１）情報統合装置１は、デバイスから情報を取得したとき、その取得時間に応じた時間タグと、情報の種類に応じた種類タグとを情報に挿入する。そして、情報統合装置１は、情報の種類ごとに、時間Ｓ以前で最新の時間タグを有する情報を情報保存装置１１１から読み出し、その読み出した情報を画像表示装置１１３に表示する。そのことにより、画像表示装置１１３に、時間タグの値（デバイスから情報を取得した時間）が同程度である複数種類の情報を並べたり、重ね合わせたりして表示することができる。
【００５５】
（２）情報統合装置１は、ユーザが発音する音声、又はユーザの動作により（すなわち、ユーザの手が機器に接触することなく）、画像表示装置１１３で情報を表示するときのレイアウトを変更することができる。
【００５６】
（３）情報統合装置１は、複数種類の情報を同時に画像表示装置１１３に表示することができる。
（４）情報統合装置１は、情報の種類ごとに、その情報にとって適切な表示方法で情報を表示できる。
＜第２の実施形態＞
１．情報統合装置１の構成
情報統合装置１の構成は基本的には前記第１の実施形態と同様である。なお、本実施形態において、プロバイダ３Ｂ〜３Ｊはデバイス種類判断手段の一例であり、アプリ５はデバイス種類対応レイアウト設定手段の一例である。
【００５７】
２．情報統合装置１が実行する処理
本実施形態の情報統合装置１が実行する処理は基本的には前記第１の実施形態と同様であるが、情報表示処理において一部相違する。以下ではその相違点を中心に説明する。本実施形態の情報統合装置１（特にアプリ５）が所定時間ごとに繰り返し実行する情報表示処理を図８に基づき説明する。
【００５８】
ステップ４１では、後述するステップ４２の処理で使用する時間（時刻）Ｓを設定する。この時間Ｓは、例えば、リアルタイムの時間から、一定の時間長だけ遡った時間とすることができる。また、時間Ｓは、リアルタイムの時間であってもよい。
【００５９】
ステップ４２では、情報の種類ごとに、時間Ｓ以前で最新の時間タグを有する情報を情報保存装置１１１から読み出す。
ステップ４３では、前記ステップ４２で読み出した情報を、アプリ５を用いて画像表示装置１１３に出力し、画像表示装置１１３で表示する。この表示において、表示する情報のレイアウトは、情報統合装置１の起動時、又はオペレータの操作時に決定される。レイアウトを決定する処理は以下のとおりである。
【００６０】
まず、デバイスから情報を取得し、そのデバイスの種類を判断する。デバイスの種類を判断するには、情報の種類を図３に示す処理で特定し、その特定した情報の種類から、対応する（その情報を取得するために用いられる）デバイスの種類を判断する。
【００６１】
次に、判断したデバイスの種類に対応するレイアウトを決め、そのレイアウトを呼び出す。なお、情報統合装置１は、予め、デバイスの種類と、レイアウトとを関連付けたマップを備えており、このマップに、デバイスの種類を入力することで、使用するレイアウトを決める。
【００６２】
３．情報統合装置１が奏する効果
（１）本実施形態の情報統合装置１は、前記第１の実施形態と略同様の効果を奏することができる。
【００６３】
（２）本実施形態の情報統合装置１は、情報を取得するために用いたデバイスの種類に応じて、レイアウトを設定することができる。このことにより、情報を適切なレイアウトで表示することができる。
＜第３の実施形態＞
１．情報統合システム１１９の構成
情報統合システム１１９の構成を図９に基づき説明する。情報統合システム１１９は、前記第１又は第２の実施形態における情報統合装置１を、後述する時間調整処理を実行する範囲で、ネットワークを介して複数接続したシステムである。以下では、複数の情報統合装置１を、１Ａ、１Ｂ、１Ｃ、・・・として区別する。上記のネットワークには、情報保存装置１１１、画像表示装置１１３、及び入力装置１１５が接続している。情報統合装置１Ａ、１Ｂ、１Ｃ、・・・には、それぞれ、デバイス群１１７が接続している。
【００６４】
なお、情報統合装置１Ａ、１Ｂ、１Ｃ、・・・におけるインターフェース３及びアプリ５は、時計調整手段の一例である。
２．情報統合システム１１９が実行する処理
情報統合システム１１９を構成する情報統合装置１Ａ、１Ｂ、１Ｃ、・・・は、それぞれ、前記第１又は第２の実施形態における情報統合装置１と同様に、情報保存処理を実行する。そのことにより、情報統合システム１１９は、情報保存装置１１１に、複数の情報統合装置１Ａ、１Ｂ、１Ｃ、・・・で取得された情報をまとめて保存することができる。
【００６５】
また、情報統合装置１Ａは、第１又は第２の実施形態における情報統合装置１と同様に、情報表示処理、レイアウト設定処理、及びログ表示処理を実行する。上述したように、情報保存装置１１１には、複数の情報統合装置１Ａ、１Ｂ、１Ｃ、・・・で取得された情報がまとめて保存される場合があり、この場合は、情報表示処理の結果、画像表示装置１１３に、複数の情報統合装置１Ａ、１Ｂ、１Ｃ、・・・で取得した情報が同時に表示される。
【００６６】
また、情報統合システム１１９は、以下に示す時間調整処理を実行する。所定の時間（例えば１日）ごとに、情報統合装置１Ａは、自らの時計７からリアルタイムの時間（時刻）情報を取得し、その時間情報を他の情報統合装置１Ｂ、１Ｃ、・・・にネットワークを介して送信する。他の情報統合装置１Ｂ、１Ｃ、・・・は、情報統合装置１Ａから送信された時間情報と、自らの時計７が生成する時間情報とが一致するように、自らの時計７を調整する（時計を合わせる処理を行う）。
【００６７】
３．情報統合システム１１９が奏する効果
（１）情報統合システム１１９は、前記第１、第２の実施形態における情報統合装置１と同様の効果を奏することができる。
【００６８】
（２）情報統合システム１１９は、上述した時間調整処理を実行するので、情報統合装置１Ａ、１Ｂ、１Ｃ、・・・間における時計７の誤差を小さくすることができる。そのため、情報を取得する情報統合装置が、情報統合装置１Ａ、１Ｂ、１Ｃ、・・・のうちのいずれであっても、情報保存装置１１１に保存する情報に、正確な時間タグを挿入することができる。その結果、情報保存装置１１１から、時間Ｓ以前で最新の時間タグを有する情報を読み出し、画像表示装置１１３に表示する場合、実際の情報取得時間が近い情報を並べて表示することができる。
＜その他の実施形態＞
（１）前記第１〜第３の実施形態において、情報保存装置１１１は、情報統合装置１の一部であってもよい。また、画像表示装置１１３は、情報統合装置１の一部であってもよい。また、入力装置１１５は、情報統合装置１の一部であってもよい。
【００６９】
（２）前記第１〜第３の実施形態において、レイアウトは固定されていてもよい。
（３）前記第１〜第３の実施形態において、画像表示装置１１３を複数備えていてもよい。この場合、複数の情報の一部又は全部を、各画像表示装置１１３に表示することができる。
【００７０】
（４）前記第１〜第３の実施形態の構成の全部又は一部を適宜組み合わせてもよい。
（５）前記第３の実施形態において、情報保存装置１１１、画像表示装置１１３、及び入力装置１１５のいずれかは、各情報統合装置１に備えられていてもよい。
【符号の説明】
【００７１】
１…情報統合装置、３…インターフェース、３Ａ…ミドルウエア、３Ｂ〜３Ｊ…プロバイダ、５…アプリ、７…時計、１１…情報保存装置、１０１…内視鏡、１０３…顕微鏡、１０５…生体情報モニタ、１０７…空調、１０９…手術ナビ、１１１…情報保存装置、１１３…画像表示装置、１１５…入力装置、１１７…デバイス群、１１９…情報統合システム
【図１】
2015185125.tif 000003
【図２】
2015185125.tif 000004
【図３】
2015185125.tif 000005
【図４】
2015185125.tif 000006
【図５】
2015185125.tif 000007
【図６】
2015185125.tif 000008
【図７】
2015185125.tif 000009
【図８】
2015185125.tif 000010
【図９】
2015185125.tif 000011